(57)【要約】【課題】利用者は自宅においてクリーニング品を収納して店舗へと持ち込み、店舗に備えられている受付ボックスへと投入することができる無人クリーニング受渡店舗におけるクリーニング受付袋を提供する。【解決手段】利用者が持ち込んだクリーニング品Ｍを無人で受け付ける受付ボックス１及びクリーニングされた仕上がり品ｍを利用者に無人で受け渡す受渡ボックス２を備えて構成されている無人クリーニング受渡店舗Ｂに、クリーニング品Ｍを持ち込むクリーニング受付袋である。この受付袋本体Ａは、複数のクリーニング品Ｍを収納することができる程度の大きさに形成されているとともに、クリーニング品Ｍを収納するための開口部１８には把手２１及び開口部１８を開閉するファスナ１９を備えている。そして、受付袋本体Ａは、クリーニング品Ｍの種類などを記入したクリーニング依頼伝票Ｅなどを入れるための外ポケット２０を備えている。【選択図】図５
0003125107.tif 000002
【実用新案登録請求の範囲】
【請求項１】
利用者が持ち込んだクリーニング品を無人で受け付けための受付ボックスと、クリーニングされた仕上がり品を利用者に無人で受け渡すための受渡ボックスと、を備えて構成されている無人クリーニング受渡店舗において、
前記クリーニング品を持ち込むためのクリーニング受付袋であって、
受付袋本体は、前記クリーニング品を複数収納することができる程度の大きさに形成されているとともに、前記クリーニング品を収納するための開口部には把手及び開口部を開閉する開閉具を備え、
かつ、前記クリーニング品の種類などを記入したクリーニング依頼伝票などを入れるためのポケットを備えていることを特徴とする無人クリーニング受渡店舗におけるクリーニング受付袋。
【考案の詳細な説明】
【技術分野】
【０００１】
本考案は、無人クリーニング受渡店舗おけるクリーニング受付袋に係り、詳しくは２４時間無人で利用者が持ち込んだクリーニング品の受け付け、そして、クリーニングされた仕上がり品の受け渡しこれらの取り次ぎを自動で行うことができるように構成されている無人クリーニング受渡店舗において、クリーニング品を収納するためのクリーニング受付袋に関する。
【背景技術】
【０００２】
従来から、利用者に対する取次ぎ業務の迅速化と利便性などを向上させるために、種々のクリーニングサービスが各クリーニング業者において展開されてきている。
例えば、一般的に知られているクリーニング店舗は、利用者が持ち込んだクリーニング品の受け付けからクリーニングされた仕上がり品の受け渡しを、受付従業員の取り次ぎによって行われている。
【０００３】
ところが、このようなクリーニング店舗のシステムにおいては、店舗が開いている時間内に限られる。そのために、例えば、サラリーマンやＯＬなどの利用者は、残業などによって帰宅時間が遅くなった場合などには店舗が閉店しており、クリーニング品を出すことができない。また、クリーニングされた仕上がり品を受け取ることができないなどの利用者に対するサービス面において問題があった。
【０００４】
そこで、店舗が閉店した後でもクリーニング品を無人で受け付けることができるように開発されたクリーニング受付装置が知られている（特許文献１参照）。
【特許文献１】実用新案登録第３１０４７５３号公報（段落番号００２２〜００２６、及び図２参照）
【考案の開示】
【考案が解決しようとする課題】
【０００５】
ところで、特許文献１において開示されているクリーニング受付装置は、利用者が持ち込んだクリーニング品を投入部の開閉扉を開けて直接投入するか、或いは開閉扉の内側や投入部の内部に備え付けられている収納袋に、持ち込んだクリーニング品を詰め込み収納して投入するなどによりクリーニング品を無人で受け付けることができるように構成されている。
【０００６】
しかしながら、この特許文献１においては、利用者はクリーニング品を自宅において紙袋などに入れて店舗へと持ち込んだ後に、クリーニング品を紙袋から取り出して投入しなければならない。或いは備え付けられている収納袋にクリーニング品を移し変えてから投入しなければならないなどの面倒で煩わしいことから、利用者の負担となり、利用者に対する利便性などを図る上で課題が残されていた。
【０００７】
また、持ち込んだクリーニング品を受付ボックス（受付装置）に投入するときに、クリーニング品を詰め込むための収納袋には、クリーニング品の種類やその点数などの必要事項を記入したクリーニング依頼伝票（受付伝票）を入れるためのポケットなどが備えられていない。
【０００８】
そのために、特許文献１では、明細書段落番号００２４において記載されているように、クリーニング依頼伝票（受付伝票）は、複数のクリーニング品と一緒に収納袋に収納しなければならない。
したがって、店舗の従業員スターフが、利用者から預り受けたクリーニング品の種類などを確認するに際して、収納袋から一部または全てのクリーニング品を外に一旦取り出してクリーニング品に混じり込んでいるクリーニング依頼伝票を収納袋から取り出さなければならないなどの預り受けたクリーニング品の確認などの処理が大きな負担になっている。
【０００９】
そこで、本考案は、前記課題を解消するために創案されたものであり、利用者は自宅においてクリーニング品を収納して店舗へと持ち込み、店舗に備えられている受付ボックスへと投入することができ、しかも、クリーニング品の種類などを記入したクリーニング依頼伝票をクリーニング品と分けて添えることができるように開発された無人クリーニング受渡店舗におけるクリーニング受付袋を提供することにある。
【課題を解決するための手段】
【００１０】
前記課題を解決するために、本考案では、利用者が持ち込んだクリーニング品を無人で受け付けための受付ボックスと、クリーニングされた仕上がり品を利用者に無人で受け渡すための受渡ボックスと、を備えて構成されている無人クリーニング受渡店舗において、前記クリーニング品を収納して持ち込むためのクリーニング受付袋であって、受付袋本体は、前記クリーニング品を複数収納することができる程度の大きさに形成されているとともに、前記クリーニング品を収納するための開口部には把手及び開口部を開閉する開閉具を備え、かつ、前記クリーニング品の種類などを記入したクリーニング依頼伝票などを入れるためのポケットを備えていることを特徴とする。
【００１１】
ここで、前記受付袋本体の素材としては特に限定されるものではないが、例えば、不繊布を用いることが好適なものとなる。
また、前記開閉具としては、例えば、ファスナ（チャック）、ベルベットファスナ（マジックテープ：登録商標）、ホックなどを挙げることができる。特に、合成樹脂製のファスナを用いることが好適なものとなる。
また、前記ポケットは、受付袋本体の外側に備える外ポケットとし、塩ビやその他の合成樹脂製のシートやフイルムなどの透明な素材を用いて形成することが好適なものとなる。
【考案の効果】
【００１２】
本考案によれば、利用者は、例えば、背広、ズボン、ネクタイなどの各クリーニング品を自宅において受付袋本体に収納し、無人クリーニング受渡店舗に持ち込むことができる。
そして、利用者は、持ち込んだ各クリーニング品の種類及びその点数（例えば、背広が２点、ズボンが２点、ネクタイが３点）などを記入したクリーニング依頼伝票などを受付袋本体のポケットに収めてそのまま店舗に備えられている受付ボックスに受付袋本体を投入することができる。
これにより、利用者は、店舗に持ち込んだクリーニング品を備え付けの収納袋に入れ替えるなどの煩わしいことをせずに、受付袋本体を店舗の受付ボックスへ投入することでクリーニング品は受け付けられる。よって、無人クリーニング受渡店舗において、受付袋本体は、クリーニング品を店舗へ持ち込むため移送袋として利用することができるために、利用者に対する利便性の向上が図れるなどのサービス効果を期待することができる。
【００１３】
また、受付袋本体に収納されているクリーニング品の種類やその点数などが記入されたクリーニング依頼伝票はクリーニング品と分けられてポケットに収められることで、店舗の従業員スターフは、預り受けた受付袋本体内のクリーニング品を袋の外に出さずに、クリーニング品の種類などを確認することができる。これにより、従業員スターフへの負担も軽減されるばかりか、従業員スターフの省人化、省力化による経費の削減などを期待することができる。
【考案を実施するための最良の形態】
【００１４】
以下、本考案の実施形態について、適宜図面を参照しながら詳細に説明する。
図１は、本実施形態に係るクリーニング受付袋が利用される無人クリーニング受渡店舗のクリーニング品の受渡室を示す概略正面図であり、図２は、同店舗の受渡室から作業室を示す概略側面図である。
【００１５】
≪無人クリーニング受渡店舗の構成≫
無人クリーニング受渡店舗（以後、単に店舗と称する）Ｂは、図１および図２に示すように、構造物３の入り口４を入った受渡室５の壁面６に、この壁面６と略面一に埋め込み設置される受付ボックス１と、受渡ボックス２とを備えて構成されている。
【００１６】
構造物３は、鉄骨と壁パネルなどやその他の建材による通常一般的な店舗構築工法などによって前後に長い平面視が略矩形形状に建設されている。
そして、この構造物３は、図２に示すように、入り口４側に、壁面６によって仕切られた受渡室５を備え、この受渡室５の後方（図２の紙面右側方向）には作業室７が備えられている。
【００１７】
受渡室５は、後述する受付袋本体Ａに収納してクリーニング品Ｍを預ける。クリーニングされた仕上がり品ｍを受け取るために、利用者が出入りする部屋である。
この受渡室５には、図示を省略しているが、店舗を利用する利用者に会員カード（磁気カード）Ｃを発行したり、クリーニング代金を支払うプリペイドカードＤなどを販売するためのカード販売機（券売機）Ｇが置かれている。また、クリーニング品Ｍの種類や点数、そして、利用者の名前や電話番号などの必要事項を記入するためのクリーニング依頼伝票Ｅが置かれている。
【００１８】
作業室７は、受付ボックス１によって預り受けた受付袋本体Ａ内のクリーニング品Ｍの種類とその点数、利用者名などを、クリーニング依頼伝票Ｅに記入されている記入事項と照合するなどの作業を行ったり、或いはリーニング品Ｍをクリーニング工場などに送出すまで間、一時的に保管するための部屋である。
この作業室７には、図２に示すように、クリーニングされた仕上がり品ｍを受渡ボックス２へと吊り下げ搬送するための搬送コンベア８が平面視で無端状に設置されている。
【００１９】
搬送コンベア８は、図２に示すように、受渡ボックス２の近くから作業室７の前後方向にわたるように平面視で無端状に設置されている。
そして、この搬送コンベア８は、受渡ボックス２の近くにおいて、受渡ボックス２の後記する受渡口１０に向けて分岐させた受渡バー１１を備えている。これにより、バーコードを有するタグ（図示省略）などによって利用者毎に分けられて搬送コンベア８に吊り下げられている仕上がり品ｍが、受渡バー１１との分岐点まで搬送された後に、受渡バー１１に移し変えられて受渡ボックス２の受渡口１０へと搬送されるようにしている。
【００２０】
受渡バー１１は、図示を省略しているが、搬送コンベア８との分岐点において、その一端側がシリンダなどの昇降手段によって上下されるように支持されている。
そして、搬送コンベア８との分岐点には、搬送コンベア８によって搬送されてくる仕上がり品ｍを受渡バー１１へ移し変えるための移し変え機構が備えられている。この移し変え機構は、搬送コンベア８に接触する程度まで接近させてその搬送方向と平行に配した回転体をモータなどによって回転させることで、回転体に作用する摩擦力により、ハンガーを介して仕上がり品ｍを吊るハンガーフックを搬送コンベア８から受渡バー１１へと移し変えることができるようにしている。
これにより、利用者毎に分けられて搬送コンベア８に吊り下げられている仕上がり品ｍは、受渡ボックス２の近くまで搬送されてくると、移し変え機構によって搬送コンベア８から受渡バー１１へと移し変えられた後に、受渡バー１１の一端側がシリンダによって上昇されることによって、受渡ボックス２の受渡口１０側に位置する受渡バー１１の他端側に移送されるようにしている。
【００２１】
≪受付ボックスの構成≫
受付ボックス１は、図１に示すように、受渡室５の正面壁面６と略面一に沿わせられる前面の上側部位に、開閉扉１２により開閉される投入口１３を備えている。そして、この投入口１３の隣には、会員カードＣを通すための受付カードリーダ１４が備えられている。
【００２２】
投入口１３は、クリーニング品Ｍが収納された受付袋本体Ａを投入することができる程度の開口面積を有する略正方形状に形成されている。
開閉扉１２は、ヒンジなどによって投入口１３の下辺開口縁に取り付けられている下辺縁部を支点として手前に開くように、そして、図示省略の電気錠などによって施錠されるように受付ボックス１に備えられている。つまり、図３に示すように、会員カードＣを受付カードリーダ１４に通すことによって、施錠が自動的に解除されるようになっている。
【００２３】
また、図１に示すように、開閉扉１２の上辺縁部側には把手１４が備えられており、施錠が解除された後に、利用者が把手１５に手を掛けて開閉扉１２を手前に引くことで、開閉扉１２が手前上向きのスロープ状に開いてクリーニング品Ｍを収納した受付袋本体Ａを投入口１３から受付ボックス１内に投入、つまり、作業室７に投入することができるようにしている。
【００２４】
なお、図示を省略しているが、受付カードリーダ１４は、ＰＣなどの端末機を介して開閉扉１２の電気錠に接続されており、会員カードＣが通されて、会員カードＣの会員番号などが端末機に送られ、端末機に入力されている会員番号との照合よって開閉扉１２の施錠が自動的に解除される。そして、開閉扉１２が閉じられた時点で自動的に施錠されるようになっている。
【００２５】
また、図1に示すように、受付ボックス１の前面には、仕上がり日時などが印字された預り書などを発行するための発行口１６が備えられている。
【００２６】
≪受渡ボックスの構成≫
受渡ボックス２は、図１に示すように、受渡室５の正面壁面６と略面一に沿わせられる前面の右側部位に、開閉扉１７により開閉される受渡口１０を備えている。そして、この受渡口１０の隣には、仕上がり品ｍを受け取るに際して、会員カードＣを通すための受渡カードリーダ９が備えられている。
【００２７】
受渡口１０は、図２に示すように、吊り下げられた状態で受渡ボックス２内に搬送されてくるロングコートなど衣類を折り畳むなどをせずに、ハンガーに掛けられた状態で取り出すことができる程度の開口高さに形成されている。
そして、受渡口１０の開口幅は、例えば、１点乃至３点の仕上がり品ｍのみを取り出すことができる程度に形成されている。つまり、利用者などが受渡ボックス２内に入ることができない程度の開口幅に形成されている。これにより、使用上の安全性を図り、しかも、盗難を防止することができるようにしている。
【００２８】
開閉扉１７は、自動扉であり、仕上がり品ｍが搬送コンベア８、受渡バー１１に吊り下げられた状態で受渡ボックス２の受渡口１０に搬送されてきたときに自動的に開き、そして、預り受けた仕上がり品ｍが受渡ボックス２から全て取り出されたときに自動的に閉じるように構成されている。
【００２９】
なお、開閉扉１７の開閉は、ＰＣなどの端末機に接続されて受渡ボックス２内の要所に備えられている図示省略のセンサなど検知手段よって行われるようになっている。また、開閉扉１７は、透明なガラスや合成樹脂板などから形成されており、預けた仕上がり品ｍが受渡ボックス２に搬送されたことを利用者が確認することができるようにしている。
【００３０】
また、図1に示すように、受渡ボックス２の前面にはモニタ１８が備えられており、会員カードＣを受渡カードリーダ９に通すことにより、預り受けた仕上がり品ｍの種類とその点数などが液晶表示されるようになっている。
【００３１】
このように構成されている受付ボックス１と受渡ボックス２とを備える店舗Ｂは、会員カードＣを受渡ボックス２の受渡カードリーダ９に通すことによって、シーケンサなどによるインバータ制御により間欠的に動作し、バーコードを有するタグ（図示省略）などによって利用者毎に分けられて吊り下げられているタグ付きの仕上がり品ｍを、図２に示すように、受渡ボックス２内へと搬送するように構成されている。
【００３２】
≪クリーニング受付袋の構成≫
図４は、本実施形態に係るクリーニング受付袋を示す斜視図であり、図５は、クリーニング品が収納された状態を示す同斜視図である。
受付袋本体Ａは、不繊布などの所望な布地素材によって適宜の深さと適宜の横幅を有する上部開口の袋状に形成されている。例えば、２点の背広、２点のズボン、３点のネクタイなどのクリーニング品Ｍを収納することができるように、縦の深さが５００ｍｍ、横の開口幅が３３０ｍｍ程度の深底袋状に形成されている。
【００３３】
そして、受付袋本体Ａは、図４に示すように、開口部１９に開閉具としてのファスナ２０を備えている。これにより、収納されたクリーニング品Ｍが不用意に外に飛び出さないようにしている（図５参照）。
なお、ファスナ２０の材質としては特に限定されるものではないが、合成樹脂製が望ましい。また、開閉具として、ファスナの以外に、ベルベットファスナ（マジックテープ：登録商標）、ホックなどを挙げることができる。
【００３４】
また、受付袋本体Ａには、図４及び図５に示すように、必要事項などを記入したクリーニング依頼伝票Ｅや、クリーニング料金を支払うプリペイトカードＤを入れるための外ポケット２１を備えている。
【００３５】
外ポケット２１は、塩ビやその他の合成樹脂製のシートやフイルムなどの透明な素材を用いて、図４に示すように、受付袋本体Ａの一側下半部側における中央部位に縫着や接着その他の取着手段によって備えられている。
【００３６】
なお、外ポケット２１の開口部に、開閉具としての前記したファスナ、ベルベットファスナ）、ホックなど係脱手段を必要に応じて備えることができる。これにより、プリペイドカードＤ、クリーニング依頼伝票Ｅなどが不用意に飛び出さないようにすることができる。つまり、受付袋本体Ａを受付ボックス１に投入した際の衝撃などによる飛び出しを防ぐことができる。
【００３７】
また、図４に示すように、受付袋本体Ａは、一対の把手２２を備えた手提げ袋状に形成されている。
把手２２は、受付袋本体Ａの両側面から底面に至るように、その縦方向に平行に添設される帯状で環状に形成されている紐体２３の一部を、受付袋本体Ａの開口部１９から上方にループ状に突出させることにより形成されるようにしている。
これにより、把手２２は簡単に外れるなどのおそれはなく、しかも、受付袋本体Ａ内に収容されているクリーニング品Ｍなどの重みを、受付袋本体Ａの両側面から底面に至るように縫着や接着などによって添設される環状の紐体２３によって受け支えることができる。また、クリーニング品Ｍの入れすぎなどによる受付袋本体Ａの破損などを防ぐ効果を期待することができる。
【００３８】
次に、以上のように形成されている本実施形態に係る受付袋本体Ａを用いた店舗Ｂの運用について、簡単に説明する。ここでは、図１から図５を適宜参照しながら説明する。
図１に示す店舗Ｂにクリーニング品Ｍを持ち込んで預ける場合、まず、利用者は、会員登録することで店舗Ｂから支給される受付袋本体Ａに、自宅においてクリーニング品Ｍを収納し、受付袋本体Ａを店舗Ｂの受渡室５に持ち込む。
そして、利用者は、受渡室に備えられている受付ボックス１の受付カードリーダ１４に会員カードＤを通す（図３参照）これにより、受付ボックス１の開閉扉１２の施錠が解除され、開閉扉１２を開けることができる状態となる。
利用者は、クリーニング品Ｍの種類やその点数などが記入された。例えば、背広が２点、ズボンが２点、ネクタイが３点などのように記入されたクリーニング依頼伝票Ｅと支払いのためのプリペイカードＤが、受付袋本Ａの外ポケット２１に収め添えられていることを確認した後に、開閉扉１２を開いて、受付袋本体Ａを受付ボックス１に投入し、開閉扉１２を閉じる。
開閉扉１２が閉じられると、開閉扉１２の電気錠が自動的に施錠される。これにより、クリーニング品Ｍの受付が完了する。すると、発行口１６から仕上がり日時などが印字された預り書が発行されてくる。
【００３９】
そして、仕上がり日時以降において、クリーニングされた仕上がり品ｍを受け取る場合には、利用者は受渡ボックス２の受渡カードリーダ９に会員カードＤを通す（図３参照）。
すると、図２に示すように、搬送コンベア８に吊り下げられている数多くの仕上がり品ｍのうち、受渡カードリーダ９に通された会員カードＣから利用者の名前と、預り受けた仕上げ品ｍが、バーコードを有するタグによって特定されてシーケンサなどによるインバータ制御によって間欠的に動作する搬送コンベア８の動作によって受渡ボックス２へと吊り下げ搬送されてくる。
仕上がり品ｍが受渡ボックス２へと搬送されてくると、当該仕上がり品ｍは、搬送コンベア８から受渡バー１１へと移され、受渡バー１１によって受渡口１０に搬送されてくる。これにより、受渡ボックス２の開閉扉１７が自動で開いて、仕上がり品ｍを受渡口１０から取り出すことができる。
受渡口１０に搬送されてきた全ての仕上がり品ｍが利用者によって取り出されると、開閉扉１７は施錠される。
【００４０】
このように、構成されている店舗Ｂにおいて利用される本実施形態に係る受付袋本体Ａによれば、利用者は、例えば、背広、ズボン、ネクタイなどの各クリーニング品Ｍを自宅において受付袋本体Ａに収納し、把手２２を掴んで受付袋本体Ａを手提げ袋にようにして店舗Ｂに持ち込むことができる。
そして、利用者は、持ち込んだ各クリーニング品Ｍの種類及びその点数（例えば、背広が２点、ズボンが２点、ネクタイが３点）などを記入したクリーニング依頼伝票ＥとプリペイドカードＤを受付袋本体Ａの外ポケット２１に収めてそのまま店舗Ｂに備えられている受付ボックス１に受付袋本体Ａを投入することができる。
これにより、利用者は、店舗Ｂに持ち込んだクリーニング品Ｍを従来のように、店舗に備え付けられている収納袋に入れ替えるなどの煩わしいことをせずに、受付袋本体Ａをそのまま受付ボックス１に投入することでクリーニング品Ｍは受け付けられる。よって、無人クリーニング受渡店舗において、受付袋本体Ａは、クリーニング品Ｍを店舗Ｂへ持ち込むため移送袋として利用することができるために、利用者に対する利便性の向上が図れるなどのサービス効果を期待することができる。
【図面の簡単な説明】
【００４１】
【図１】本実施形態に係るクリーニング受付袋が利用される無人クリーニング受渡店舗のクリーニング品の受渡室を示す概略正面図である。
【図２】同店舗の受渡室から作業室を示す概略側面図である。
【図３】受付カードリーダ又は受渡カードリーダに会員カードを通している状態を示す斜視図である。
【図４】本実施形態に係るクリーニング受付袋を示す斜視図である。
【図５】クリーニング品が詰め込み収納された状態を、一部を切欠して示す同斜視図である。
【符号の説明】
【００４２】
Ａ    受付袋本体（クリーニング受付袋）
Ｂ    店舗（無人クリーニング受渡店舗）
１    受付ボックス
２    受渡ボックス
１９  開口部
２０  ファスナ（開閉具）
２１  外ポケット（ポケ
Ｃ    会員カード
Ｄ    プリペイドカード
Ｅ    クリーニング依頼伝票
Ｍ    クリーニング品
ｍ    仕上がり品
【図１】
0003125107.tif 000003
【図２】
0003125107.tif 000004
【図３】
0003125107.tif 000005
【図４】
0003125107.tif 000006
【図５】
0003125107.tif 000007